(57)【要約】【課題】  針状ピン部材のように安全性を脅かすことなく、取付の際にも付着物の構造を破壊することなく、永久磁石により付着物を保持して取り付けることができるバッジ用安全留具を提供すること。【解決手段】  本考案のバッジ用安全留具は、表面上にタイトルに関わる模様、文字或は浮き彫りなどで表すバッジ飾りを支持するベース部を含むバッジ用安全留具において、少なくともベース部の裏側に形成された凹状の収納部と、前記収納部に固定される金属リング部材と、前記金属リング部材の外側に吸付し、且つ少なくとも一部分が前記収納部内に収納される磁性のある永久磁石とを備える。【選択図】      図３
0003111293.tif 000002
【実用新案登録請求の範囲】
【請求項１】
表面上にタイトルに関わる模様、文字或は浮き彫りなどで表すバッジ飾りを支持するベース部を含むバッジ用安全留具において、
少なくともベース部の裏側に形成された凹状の収納部と、前記収納部に固定される金属リング部材と、前記金属リング部材の外側に吸付し、且つ少なくとも一部分が前記収納部内に収納される磁性のある永久磁石とを備えることを特徴とするバッジ用安全留具。
【請求項２】
前記収納部は内側から外側へ向けて拡径された円形口径を有することを特徴とする請求項１に記載のバッジ用安全留具。
【請求項３】
前記永久磁石は円形磁石であり、その直径は収納部の内径より小さいことを特徴とする請求項２に記載のバッジ用安全留具。
【請求項４】
前記ベース部は円形であることを特徴とする請求項１に記載のバッジ用安全留具。
【請求項５】
前記ベース部は長方形であることを特徴とする請求項１に記載のバッジ用安全留具。
【請求項６】
前記ベース部は三角形であることを特徴とする請求項１に記載のバッジ用安全留具。
【請求項７】
前記ベース部は楕円形であることを特徴とする請求項１に記載のバッジ用安全留具。
【請求項８】
前記ベース部は菱形であることを特徴とする請求項１に記載のバッジ用安全留具。
【請求項９】
前記ベース部は多角形であることを特徴とする請求項１に記載のバッジ用安全留具。
【請求項１０】
前記ベース部の裏側には二つの凹状の収納部が形成され、夫々金属リング部材が固定され、並びに永久磁石などの留具が配置されることを特徴とする請求項１記載のバッジ用安全留具。
【請求項１１】
前記ベース部の裏側には二つ以上の凹状の収納部が形成され、夫々金属リング部材が固定され、並びに永久磁石などの留具が配置されることを特徴とする請求項１記載のバッジ用安全留具。
【考案の詳細な説明】
【技術分野】
【０００１】
本考案は、バッジ用留具に関わり、とくに、針状ピン部材はなく、付着物の構造を破壊することはなく付着物につけることができるバッジ用安全留具に関するものである。
【背景技術】
【０００２】
一般に、従来のピンバッジ用留具は、ピンバッジベース部の裏側にピンが固定され、服或は帽子などに留めるものが良く見られる。また、表面上にネジ山のあるピン部材は、その一端がピンバッジベース部の裏側に垂直に蝋着され、他の一端が針先を形成し、服或は帽子などに刺貫され、さらにナット部により針先等が締めつけ固定される。また、例えば、図９に示されるように、中華民国実用新案公告第３０４３６２号には、取付表面（２１）と、この取付表面（２１）に対向し且つその上に飾り模様が設けられる前表面（２２）とを有する本体（２０）と、この取付表面（２１）の上部から後ろ向きに延伸し、且つ物体、例えば服或は帽子などに刺貫できる一対の分離される締め付けピン（２３）と、締め付けピン（２３）が使用者の服或は帽子などから脱落することを防ぐために締め付けピン（２３）の末端に取り付けられ、締め付けピン（２３）毎に備えられる帽子状部材（２４）とを含む「隠し型リング留具付きピンバッジ構造」が主に掲示されている。
【考案の開示】
【考案が解決しようとする課題】
【０００３】
しかしながら、当該技術に習熟した者は、従来のピンバッジ用留具も或は前記公告公報に開示のものも、取付の際に、ピン部材で使用者の服或は帽子などに刺貫しなければならない、特にネジ付きピン部材はこの付着物、例えば服或は帽子などの繊維構造を破壊し易い、また、このピン止め構造は子供にとって潜在の危険性がある。
【課題を解決するための手段】
【０００４】
従来のピンバッジ用留具の欠点を鑑み、本考案は、針状ピン部材による安全性を阻害することはなく、取付の際にも付着物の構造を破壊することなく付着物につけることができるバッジ用安全留具を提供することを主な目的とする。
【０００５】
前記の目的を達成するために、本考案のバッジ用安全留具は、表面上にタイトルに関わる模様、文字或は浮き彫りなどで表すバッジ飾りを支持するベース部を含むバッジ用安全留具において、少なくともベース部の裏側に形成され凹状の収納部と、前記収納部に固定される金属リング部材と、前記金属リング部材の外側に吸付し、且つ少なくとも一部分が前記収納部内に収納される磁性のある永久磁石とを備える。
【０００６】
本考案によると、この永久磁石を前記収納部に調整し易いために、この収納部を内から外向けに広げる円形口径に設けさせ、このようにして、取付の際に、この永久磁石を付着物、例えば布などの裏面から表面に位置するベース部上の金属リング部材へ吸付すれば、付着物につけることができ、この構造は取付便利及び外し易い以外に、その安全性も非常に高く、従来のピンバッジ用留具の欠点などを改善できる。
【考案を実施するための最良の形態】
【０００７】
以下、実施例に合せて本考案の特徴をさらに説明するが、本実施例は、単に本考案の実施可能な好ましい実施例に過ぎず、本考案の請求範囲を限定するものではなく、添付図面を参照しながら詳しく説明し最適な理解を得るためのものである。
【０００８】
まず、図１を参考し並びに図２及び図３を対照すると、本考案のバッジ用安全留具１は、基本的に、ベース部１０を含み、このベース部１０は円形或は他の適切な形状で良く、その表面１０ａにはタイトルに関わる、例えば模様、文字或は浮き彫りなどで表すバッジ飾り１１を支持し、ベース部１０の裏側１０ｂには少なくとも凹状の収納部１２が形成され、この収納部１２は円形或は他の適切な形状で良いが、円形が好ましい。金属リング部材１３はこの収納部１２の形状に対応しており、接着手段或は強固な嵌設手段で収納部１２の底部に固定される。磁性のある永久磁石１４は、この収納部１２の形状に対応しており、かつこの収納部１２より若干小さく、この金属リング部材１３の外側に吸付され、少なくとも一部がこの収納部１２内に収納される。
【０００９】
本考案によると、永久磁石１４を前記収納部１２に調整し易いために、収納部１２は内側から外側に向けて拡径された円形口径を有し、かつ、取付の際に、この永久磁石１４は付着物、例えば布などの裏側から表面に位置するベース部１０上の金属リング部材１３へ吸付されており、両者の間を密接的に接触させるために、この永久磁石１４は円形の磁石であるのが好ましい、また、その直径が収納部１２の内径より小さく、少なくとも布材の厚さ等を予め考慮しなければならない。
【００１０】
図４は本考案の第二の実施例であり、その中では、このベース部１０は長方形である。
【００１１】
図５は本考案の第三の実施例であり、その中では、このベース部１０は三角形である。
【００１２】
図６は本考案の第四の実施例であり、その中では、このベース部１０は楕円形である。
【００１３】
図７は本考案の第五の実施例であり、その中では、このベース部１０は菱形である。
【００１４】
図８は本考案の第六の実施例であり、その中では、このベース部１０は長方形であり、このベース部１０の裏側１０ｂには二つの凹状の収納部１２が形成され、夫々金属リング部材１３が固定され、並びに永久磁石１４などの留具が配置される。
【００１５】
同じ考えに基いて、このベース部１０は多角形或は他の幾何形状で良い、或はこのベース部１０の裏側１０ｂには二つ以上の凹状の収納部１２が形成され、夫々金属リング部材１３が固定され、並びに永久磁石１４などの留具が配置されることにも適応できる。
【００１６】
以上のように、本考案のバッジ用安全留具は、針状ピン部材のように安全性を脅かすことなく、付着物の構造を破壊することもなく、永久磁石により付着物を挟持して取り付けることができ、取付が便利でかつ外し易いため、確かに新規性、進歩性また産業の利用可能性がある創作である。
【００１７】
以上は本考案の実施可能な好ましい実施例に過ぎず、本考案の実施範囲を限定するものではなく、総じて本考案の請求の範囲を運用する上で行われる同等の構造変化及び補正は、同様に本考案の範囲内に於いて含まれる。
【図面の簡単な説明】
【００１８】
【図１】本考案のバッジ用安全留具の第一の実施例の正面斜視図である。
【図２】本考案の第一の実施例の背面斜視図であり、その分解状態を示す。
【図３】本考案の第一の実施例を示す断面図である。
【図４】本考案の第二の実施例を示す背面斜視図である。
【図５】本考案の第三の実施例を示す背面斜視図である。
【図６】本考案の第四の実施例を示す背面斜視図である。
【図７】本考案の第五の実施例を示す背面斜視図である。
【図８】本考案の第六の実施例を示す背面斜視図である。
【図９】従来技術の中華民国実用新案公告第３０４３６２号「隠し型リング留具付きピンバッジ構造」を示す図である。
【符号の説明】
【００１９】
１      バッジ用安全留具
１０    ベース部
１０ａ  表面
１０ｂ  裏側
１１    バッジ飾り
１２    収納部
１３    金属リング部材
１４    永久磁石
【図１】
0003111293.tif 000003
【図２】
0003111293.tif 000004
【図３】
0003111293.tif 000005
【図４】
0003111293.tif 000006
【図５】
0003111293.tif 000007
【図６】
0003111293.tif 000008
【図７】
0003111293.tif 000009
【図８】
0003111293.tif 000010
【図９】
0003111293.tif 000011